(57)【要約】      （修正有）【課題】良好な耐ねじれ性を有する光ファイバケーブルを提供する。【解決手段】芯線１１は、縦方向中心に関する軸線Ｘを定義する。補強部材１２は、芯線１１を同軸的に被覆する。左向きばねコイル１３は、補強部材１２の周囲に、連続的、同軸的かつ左向き螺旋状に巻かれる。右向きばねコイル１４は、左向きばねコイル１３の周囲に、連続的、同軸的かつ右向き螺旋状に巻かれ、かつ、左向きばねコイル１３を、オーバーラップして取り囲み、左向きばねコイル１３および右向きばねコイル１４の投影像に関し、投影的に交差している。絶縁外層１５は、右向きばねコイル１４を同軸的に被覆することで、光ファイバケーブル１を、同軸的および同心的に形成する。【選択図】図２
0003112262.tif 000002
【実用新案登録請求の範囲】
【請求項１】
光ファイバ芯線、補強部材、左向きばねコイル、右向きばねコイルおよび絶縁外層を有する光ファイバケーブルであって、
前記芯線は、前記芯線の縦方向中心に関する軸線を定義し、
前記補強部材は、前記軸線に関し、前記芯線を同軸的に被覆し、
前記左向きばねコイルは、前記軸線に関し、前記補強部材の周囲に、連続的、同軸的かつ左向き螺旋状に巻かれ、
前記右向きばねコイルは、前記左向きばねコイルの周囲に、連続的、同軸的かつ右向き螺旋状に巻かれ、かつ、前記左向きばねコイルを、オーバーラップして取り囲み、前記左向きばねコイルおよび右向きばねコイルの投影像に関し、前記右向きばねコイルと前記左向きばねコイルとは、投影的に交差しており、
前記右向きばねコイルの巻き方向は、前記左向きばねコイルの巻き方向の逆であり、
前記絶縁外層は、前記右向きばねコイルを同軸的に被覆することで、前記光ファイバケーブルを、同軸的および同心的に形成する
ことを特徴とする光ファイバケーブル。
【請求項２】
前記右向きばねコイルおよび左向きばねコイルは、金属ワイヤからなることを特徴とする請求項１に記載の光ファイバケーブル。
【請求項３】
前記絶縁外層は、前記右向きばねコイルと前記絶縁外層との間にサンドイッチされる保護層を、さらに有することを特徴とする請求項１に記載の光ファイバケーブル。
【考案の詳細な説明】
【技術分野】
【０００１】
本考案は、左向き（ｌｅｆｔ−ｔｕｒｎ）および右向き（ｒｉｇｈｔ−ｔｕｒｎ）ばねコイルによって保護された、耐ねじれ性を有する光ファイバケーブルに関する。
【背景技術】
【０００２】
従来技術に係る米国特許第６２３３３８４号明細書の図１は、フレキシブルな光ファイバケーブルを開示している。当該ケーブルは、光ファイバ１を取り囲んでいる剛体ワイヤ層４と、剛体ワイヤ層４を取り囲んでいる機械的編組（ｂｒａｉｄ）層５を有する。
【考案の開示】
【考案が解決しようとする課題】
【０００３】
しかし、上記ケーブルは、以下の問題を有する。
【０００４】
１．剛体ワイヤ層４は、螺旋状に巻かれている。しかし、剛体ワイヤ層４の巻き方向と逆の方向に、螺旋状に巻かれた別のワイヤ（あるいは外側ワイヤ）が欠如しており、剛体ワイヤ層４に対して作用するねじれ力を中和することができない。そのため、光ファイバケーブルの耐ねじれ性の作用に影響が及ぼされる。
【０００５】
２．剛体ワイヤ層４を取り囲んでいる機械的編組５は、銀メッキされた銅ワイヤあるいはステンレス鋼ワイヤから形成されている。そのため、光ファイバケーブルの重量、コストおよび容積が増加し、その経済的価値に、影響が及ぼされる。
【０００６】
本考案は、上記従来技術に伴う課題を解決するためになされたものであり、良好な耐ねじれ性を有する光ファイバケーブルを提供することを目的とする。
【課題を解決するための手段】
【０００７】
上記目的を達成するための本考案は、
光ファイバ芯線、補強部材、左向きばねコイル、右向きばねコイルおよび絶縁外層を有する光ファイバケーブルであって、
前記芯線は、前記芯線の縦方向中心に関する軸線を定義し、
前記補強部材は、前記軸線に関し、前記芯線を同軸的に被覆し、
前記左向きばねコイルは、前記軸線に関し、前記補強部材の周囲に、連続的、同軸的かつ左向き螺旋状に巻かれ、
前記右向きばねコイルは、前記左向きばねコイルの周囲に、連続的、同軸的かつ右向き螺旋状に巻かれ、かつ、前記左向きばねコイルを、オーバーラップして取り囲み、前記左向きばねコイルおよび右向きばねコイルの投影像に関し、前記右向きばねコイルと前記左向きばねコイルとは、投影的に交差しており、
前記右向きばねコイルの巻き方向は、前記左向きばねコイルの巻き方向の逆であり、
前記絶縁外層は、前記右向きばねコイルを同軸的に被覆することで、前記光ファイバケーブルを、同軸的および同心的に形成する
ことを特徴とする光ファイバケーブルである。
【考案の効果】
【０００８】
上記のように構成した本考案によれば、良好な耐ねじれ性を有する光ファイバケーブルを提供することが可能である。
【０００９】
また、耐ねじれ性に加え、他の機械的性質が向上する。他の機械的性質は、引張り強さおよび圧縮強さの増加、側圧抵抗性の向上を含んでいる。また、生産コストが低減される利点を有する。光ファイバケーブルの径が、スリム化あるいは精細化されることは、長距離通信に適している。また、光ファイバケーブルは、良好な曲げ半径あるいは曲率（小さい半径から大きい半径へわたる）を提供することが可能であり、良好な柔らかさおよび耐屈曲性を有する。
【考案を実施するための最良の形態】
【００１０】
以下、本考案の実施の形態を、図面を参照しつつ説明する。
【００１１】
図１は、本考案の実施の形態に係る光ファイバケーブルの構成部材を示している分解図、図２は、図１に示される光ファイバケーブルの部分断面図、図３は、図１に示される光ファイバケーブルが有する耐ねじれ性を説明するための概念図、図４は、本考案の別の好ましい実施の形態に係る光ファイバケーブルを説明するための部分断面図である。
【００１２】
図１〜３に示されるように、本考案の実施の形態に係る光ファイバケーブル１は、光ファイバ芯線１１、補強部材１２、左向きばねコイル１３、右向きばねコイル１４および絶縁外層１５を有する。
【００１３】
芯線１１は、芯線１１の縦方向中心に関する軸線Ｘを定義する。補強部材１２は、ケーブル１の軸線Ｘに関し、芯線１１を同軸的に被覆している。左向きばねコイル１３は、ケーブル１の軸線Ｘに関し、補強部材１２の周囲に、連続的、同軸的かつ左向き螺旋状に巻かれている。右向きばねコイル１４は、左向きばねコイル１３の周囲に、連続的、同軸的かつ右向き螺旋状に巻かれ、かつ、左向きばねコイル１３を、オーバーラップして取り囲んでいる。そして、左向きばねコイル１３および右向きばねコイル１４の投影像（ｐｒｏｊｅｃｔｉｖｅ  ｖｉｅｗ）に関し、右向きばねコイル１４と左向きばねコイル１３とは投影的に交差している。
【００１４】
絶縁外層１５は、右向きばねコイル１４を同軸的に被覆しており、ケーブル１を、同軸的および同心的に形成する。
【００１５】
ばねコイル１３，１４は、軸線Ｘに関し、それぞれ対向する巻き方向を示す。つまり、右向きばねコイル１４の巻き方向は、左向きばねコイル１３の巻き方向の逆である。また、内側に位置するばねコイル１３を、右向きとし、外側に位置するばねコイル１４を、それに対応させて左向きに変更することも可能であり、本実施の形態の構成に、限定されない。
【００１６】
補強部材１２は、強化用繊維束あるいは繊維状部材束（デュポン社により生産されるケブラー（登録商標）等の芳香族ポリアミド繊維を含む）によって形成することが可能である。また、本実施の形態においては、他の適した補強材料を、使用することも可能である。
【００１７】
ばねコイル１３，１４は、ステンレス鋼または他の適当な材料から形成することが可能である。
【００１８】
ケーブル１が精細であり、芯線１１とばねコイル１３との間に、摩擦スクラブ（ｓｃｒｕｂｂｉｎｇ）欠陥あるいは破損欠陥が存在しない場合、本実施の形態において、補強部材１２を、省略することも可能である。また、芯線１１は、その上に補強層（例えば、補強ポリマー）を直接被覆することで、ケブラー（登録商標）繊維状層からなる補強部材１２を省略することも可能である。補強部材（例えば、ケブラー（登録商標）層）１２は、本実施の形態に係る隣接する２つの層の間に、適宜挿入することも可能である。
【００１９】
絶縁外層１５は、ケーブル１の最外層に形成され、外側に位置する右向きばねコイル１４上の被覆である。絶縁外層１５は、電気絶縁性であり、さらに熱絶縁性を有するようにすることも可能である。絶縁外層１５は、ポリ塩化ビニル等の電気絶縁性材料から形成され、金属材料から形成されるばねコイル１４，１３が、環境粒子と接触しないように絶縁し、通信システムの全部に損傷を与える異常あるいは予期せぬ電気エネルギの伝達を妨げる。
【００２０】
図４に示されるように、右向きばねコイル１４と絶縁外層１５との間に、例えば、編組材料からなる保護層ｌ５ａを、さらに提供（挿入）し、サンドイッチすることで、ケーブル１の強度を、さらに向上させることも可能である。
【００２１】
図３に示されるように、ケーブル１が軸線Ｘに関してねじられる場合（Ｔ）、外側に位置する右向きばねコイル１４から摩擦的に伝達されるねじれ力Ｆは、垂直力成分（ｎｏｒｍａｌ  ｆｏｒｃｅ  ｆｒａｃｔｉｏｎ）Ｆｎ、および内側に位置する左向きばねコイル１３に作用するねじれ力成分Ｆｔを形成する。ねじれ力成分Ｆｔは、ねじれ力Ｆに比べて非常に小さいので（Ｆｔ＜Ｆ）、外部ねじれ力は、弱められる。
【００２２】
ところで、外部ねじれ力は、芯線１１に向かって内向きに伝達されるため、それに対応して、弱められる。すなわち、芯線１１は、このような外部ねじれ力に応じ、良好に保護されているため、本実施の形態に係る光ファイバケーブルの耐ねじれ性が向上する。
【００２３】
図３に示される場合（Ｔ）における方向に対して、逆方向に、ケーブルがねじられる場合（不図示）、外部ねじれ力は、同様に弱められるため、芯線１１に対するねじれ損傷あるいは障害を減少させることが可能である。
【００２４】
従来技術に係る米国特許第６２３３３８４号明細書の開示物と比較して、本考案は、以下の効果を有する。
【００２５】
１．内側に位置する左向きばねコイル１３を取り囲んでいる外側の右向きばねコイル１４は、従来技術に係る編組層５と比較し、右向きに螺旋状に巻かれた単一のバネワイヤであり、互いに織り交ぜあるいは編み合わせされた複数のワイヤからなる編組層から構成されていない。したがって、重量の削減（軽量化）、径のスリム化およびコストの低減が図られる。
【００２６】
２．左向きばねコイル１３および右向きばねコイル１４の両方は、芯線１１の周囲をオーバーラップして巻かれており、ケーブル１の衝撃吸収性を向上させる。したがって、耐用寿命を延長させ、ケーブル１の運用信頼度を向上させる。
【００２７】
３．内側に位置する左向きばねコイル１３に、オーバーラップしている外側に位置する右向きばねコイル１４は、ばねコイル１３，１４の投影像に関し、「編組」を形成することにより、ケーブル１の耐切断特性を提供することが可能である。したがって、従来技術に係る編組層５を、本実施の形態に係る外側に位置する右向きばねコイル１４によって代替することにより、組立てられるケーブル１のコストおよび容積を削減し、ケーブル１のスリム化および精細化を図ることが可能である。
【００２８】
したがって、本実施の形態は、耐ねじれ性に加え、他の機械的性質を向上させた光ファイバケーブルを提供することが可能である。また、最適な曲げ半径（あるいは曲率）で、スムーズに屈曲させることが可能であり、良好な柔らかさにより、十分な耐屈曲性を呈することとなる。
【００２９】
図１に示されるように、光ファイバケーブル１は、光ファイバコネクタ２と連結されることで、光通信システムにおいて、広く使われている光ファイバパッチコードを形成することが可能である。コネクタ２および光ファイバケーブル１は、適当な従来の方法によって、組み立てることが可能である。
【００３０】
光ファイバケーブル１は、ひずみ開放ブーツ部（ｂｏｏｔ）２１に挿入され、クランプ管２２を、通過する。光ファイバケーブル１の左向きばねコイル１３の前端部と、クランプ管２２の前端開口部とを、同一平面上とすることが可能である。また、右向きばねコイル１４およびケブラー（登録商標）繊維層からなる補強部材１２は、クランプ管２２の内部に配置される支持スリーブ２３の後方部位に略配置される。そして、支持スリーブ２３、ケブラー（登録商標）繊維層からなる補強部材１２、右向きばねコイル１４およびクランプ管２２は、一緒に押圧され、確実に固定される。
【００３１】
支持スリーブ２３は、固定用ジャケット２５に係合される前方部位を有し、固定用ジャケット２５は、カップリングキャップ２６に組み込まれる（埋め込まれる）。小型ばね２４１によって張力が付与されたフェルール２４は、支持スリーブ２３と固定用ジャケット２５と間における内部に、弾性的に支持される。フェルール２４の後端部は、光ファイバケーブル１の芯線１１と連結される。フェルール２４の前端部は、カップリングキャップ２６の内部に配置される固定用ジャケット２５を経由して、前方へ突出しており、別の光ファイバケーブル（不図示）と連結あるいはカップリングされる。
【００３２】
カップリングキャップ２６は、ひずみ開放ブーツ部２１に最終的に連結され、光ファイバコネクタ２の全ての構成部材（構成部品）を、カップリングキャップ２６およびひずみ開放ブーツ部の内部に、包み込む。カップリングキャップ２６の前方開口部には、防塵用プラグ２７が挿入されており、清浄な状態が保たれる。
【００３３】
以上のように、本実施の形態は、光ファイバ芯線１１、補強部材１２、左向きばねコイル１３、右向きばねコイル１４および絶縁外層１５を有する光ファイバケーブルを提供する。補強部材１２は、芳香族ポリアミド繊維（例えば、ケブラー（登録商標））から選択され、芯線１１を同軸的に被覆する。左向きばねコイル１３は、補強部材１２の周囲に、連続的、同軸的かつ左向き螺旋状に巻かれる。右向きばねコイル１４は、左向きばねコイル１３の周囲に、連続的、同軸的かつ右向き螺旋状に巻かれる。絶縁外層１５は、ポリ塩化ビニルポリマーから選択され、右向きばねコイル１４を同軸的に被覆し、光ファイバケーブルを、同軸的に形成する。
【００３４】
したがって、耐ねじれ性および他の機械的性質が向上する。他の機械的性質は、引張り強さおよび圧縮強さの増加、側圧抵抗性の向上を含んでいる。また、生産コストが低減される利点を有する。光ファイバケーブルの径が、スリム化あるいは精細化されることは、長距離通信に適している。また、光ファイバケーブルは、良好な曲げ半径あるいは曲率（小さい半径から大きい半径へわたる）を提供することが可能であり、良好な柔らかさおよび耐屈曲性を有する。
【００３５】
なお、本考案は、上述した実施の形態に限定されるものではなく、本考案の趣旨および実用新案登録請求の範囲から逸脱することなく、その範囲内で種々改変することが可能である。
【図面の簡単な説明】
【００３６】
【図１】本考案の実施の形態に係る光ファイバケーブルの構成部材を示している分解図である。
【図２】図１に示される光ファイバケーブルの部分断面図である
【図３】図１に示される光ファイバケーブルが有する耐ねじれ性を説明するための概念図である。
【図４】本考案の別の好ましい実施の形態に係る光ファイバケーブルを説明するための部分断面図である。
【符号の説明】
【００３７】
１・・光ファイバケーブル、
２・・光ファイバコネクタ、
１１・・光ファイバ芯線、
１２・・補強部材、
１３・・左向きばねコイル、
１４・・右向きばねコイル、
１５・・絶縁外層、
２１・・開放ブーツ部、
２２・・クランプ管、
２３・・支持スリーブ、
２４・・フェルール、
２５・・固定用ジャケット、
２６・・カップリングキャップ、
２７・・防塵用プラグ、
２４１・・小型ばね、
Ｆ・・ねじれ力、
Ｆｎ・・垂直力成分、
Ｆｔ・・ねじれ力成分、
ｌ５ａ・・保護層、
Ｘ・・軸線。
【図１】
0003112262.tif 000003
【図２】
0003112262.tif 000004
【図３】
0003112262.tif 000005
【図４】
0003112262.tif 000006